(57)【要約】【課題】本発明は、所定位置でラックを確実に検知するようにしたコンベア型食器洗浄機を提供する。【解決手段】コンベア型食器洗浄機１は、ラックレール２の上面で延在するラック摺動面３１ａを利用して、揺動プレート５１によりラック４の検知を可能にしている。この揺動プレート５１は、ラック４の底面４ａに当接して降下し、ラック４の底面４ａと非当接のときにラック摺動面３１ａよりも上方に突出する。従って、不測の事態により、ラックレール２からラック４が外れない限り、搬送中のラック４は、その底面４ａがラック摺動面３１ａに摺接し続けているので、ラック４の自重を利用して、ラック４の通過検知の確実性を高めることができる。【選択図】図５
2011110260.tif 000002
【特許請求の範囲】
【請求項１】
ラック内に収容された食器を、洗浄室内で延在するラックレールに沿って、コンベアにより搬送させながら、噴射ノズルの噴射水によって前記食器の洗浄を行うコンベア型食器洗浄機において、
前記ラックの底面に当接して降下し、前記ラックの前記底面と非当接のときに、前記ラックレールの上面で延在するラック摺動面よりも上方に突出する昇降部材と、
前記昇降部材の昇降を検知する検知部と、を備えたことを特徴とするコンベア型食器洗浄機。
【請求項２】
前記ラック摺動面に形成された開口から突出可能な前記昇降部材の突出端は、前記ラックの前記底面に当接して降下した状態であっても、前記ラック摺動面より上方に位置していることを特徴とする請求項１記載のコンベア型食器洗浄機。
【請求項３】
前記昇降部材は、前記ラックレールに固定された回転軸を中心に、鉛直平面内で揺動する揺動プレートであり、前記揺動プレートは、振り子の錘に対応する部分を重くしていることを特徴とする請求項１又は２記載のコンベア型食器洗浄機。
【請求項４】
前記振り子の錘に対応する部分には、マグネットが固定され、前記検知部は、前記マグネットの磁気を検知する磁気センサであることを特徴とする請求項３記載のコンベア型食器洗浄機。
【請求項５】
前記ラックレールに沿って前後方向に往復運動する前記コンベアは、
前記ラックレールに沿って延在すると共に送り爪が突出する枠体と、
前記枠体から水平方向に突出して前記ラックレールに当接する案内ローラと、を有し、
前記ラックレールには、前記ラック摺動面と平行に延在するローラ転動面が設けられ、
前記揺動プレートが前記ラックの前記底面と非当接のときに、前記ローラ転動面に前記揺動プレートの前記振り子の錘に対応する部分が当接することを特徴とする請求項３又は４に記載のコンベア型食器洗浄機。
【請求項６】
前記ラック摺動面に形成された開口から突出可能な前記揺動プレートの突出部分は、前記ラック摺動面の幅方向に延在する上板部と、前記上板部の幅方向における両端で前記開口の縁に近接して形成された垂下板部とで、断面コ字状に形成されていることを特徴とする請求項３〜５の何れか一項に記載のコンベア型食器洗浄機。
【請求項７】
前記ラック摺動面に形成された開口から突出可能な前記揺動プレートは、ラック搬送方向において前記噴射ノズルの上流側に位置し、前記開口は、ラック搬送方向において前記揺動プレートの前記突出端よりも下流側が拡張され、
前記開口の拡張部分を通して、上方に位置する前記噴射ノズルからの噴射水が、突出状態の前記揺動プレートを支持する前記回転軸にかかるようにしたことを特徴とする請求項３〜６の何れか一項に記載のコンベア型食器洗浄機。
【発明の詳細な説明】
【技術分野】
【０００１】
本発明は、コンベアによってラックを搬送しながら食器の洗浄及び濯ぎを行うことができるコンベア型食器洗浄機に関するものである。
【背景技術】
【０００２】
従来、このような分野の技術として、特許文献１に記載されたコンベア型食器洗浄機がある。このコンベア型食器洗浄機の洗浄室内には、ラックに収容された食器を洗浄領域から濯ぎ領域に搬送するためのコンベアが設けられている。また、洗浄領域内には、食器の洗浄を行うための上下一対の洗浄ノズルが配置され、濯ぎ領域内には、食器の濯ぎを行うための上下一対の濯ぎノズルが配置されている。そして、ラックは、コンベアで搬送されながら、洗浄室内で食器の洗浄及び濯ぎを自動的に行っている。このようなコンベア型食器洗浄機では、ラックが洗浄室内で流動するため、洗浄や濯ぎを開始させるためのスイッチが必要である。このスイッチは、食器洗浄機の筐体の内側面に沿って上下方向に延在する軸部と、軸部の下部に設けられてラックに向けて水平方向に突出する当接部と、軸部の回動を検知するセンサとにより構成されている。このスイッチの当接部は、ラックの前面側のコーナ部が当たることで回動を開始し、ラックの側面が当たり続けることで、ラックの移動を検知し続けることができる。
【先行技術文献】
【特許文献】
【０００３】
【特許文献１】特開２００１−１１２６９０号公報
【発明の概要】
【発明が解決しようとする課題】
【０００４】
しかしながら、ラックの前面側のコーナ部が破損しているような場合には、スイッチの当接部をラックに確実に当てることができずに、検知タイミングの遅れなどの検知不良が発生し易い。なお、ラックがラックレールから外れるような横ズレを発生した場合には、ラックがスイッチに強く当たり易く、スイッチの当接部を破損させる場合がある。
【０００５】
本発明は、所定位置でラックを確実に検知するようにしたコンベア型食器洗浄機を提供することを目的とする。
【課題を解決するための手段】
【０００６】
本発明は、ラック内に収容された食器を、洗浄室内で延在するラックレールに沿って、コンベアにより搬送させながら、噴射ノズルの噴射水によって食器の洗浄を行うコンベア型食器洗浄機において、
ラックの底面に当接して降下し、ラックの底面と非当接のときに、ラックレールの上面で延在するラック摺動面よりも上方に突出する昇降部材と、
昇降部材の昇降を検知する検知部と、を備えたことを特徴とする。
【０００７】
このコンベア型食器洗浄機は、ラックレールの上面で延在するラック摺動面を利用して、昇降部材によりラックの検知を可能にしている。この昇降部材は、ラックの底面に当接して降下し、ラックの底面と非当接のときにラック摺動面よりも上方に突出する。従って、不測の事態により、ラックレールからラックが外れない限り、搬送中のラックは、その底面がラック摺動面に摺接し続けているので、ラックの自重を利用してラックの検知の確実性を高めることができる。
【０００８】
また、ラック摺動面に形成された開口から突出可能な昇降部材の突出端は、ラックの底面に当接して降下した状態であっても、ラック摺動面より上方に位置していると好適である。
このような構成を採用すると、ラック摺動面上を摺動するラックの底面が、ラック摺動面上の開口に到達したとき、昇降部材の突出端によってラック摺動面から浮くように持ち上げられるので、ラックが開口の縁に引っ掛かることを防止することができ、ラックの底面が削れたり、ラックが破損するのを防止できる。
【０００９】
また、昇降部材は、ラックレールに固定された回転軸を中心に、鉛直平面内で揺動する揺動プレートであり、揺動プレートは、振り子の錘に対応する部分を重くしていると好適である。
このような構成を採用すると、バネやヒンジ等の弾性部材を利用することなく、自重によって、揺動プレートを元の位置に戻すことができる。従って、構造が複雑にならずに、耐久性を高めることができ、コスト低減にも寄与する。
【００１０】
また、振り子の錘に対応する部分には、マグネットが固定され、検知部は、マグネットの磁気を検知する磁気センサであると好適である。
このような構成を採用すると、マグネットを錘として利用することができ、構造の複雑化を容易に回避させることができる。
【００１１】
また、ラックレールに沿って前後方向に往復運動するコンベアは、ラックレールに沿って延在すると共に送り爪が突出する枠体と、枠体から水平方向に突出してラックレールに当接する案内ローラと、を有し、ラックレールには、ラック摺動面と平行に延在するローラ転動面が設けられ、揺動プレートがラックの底面と非当接のときに、ローラ転動面に揺動プレートの振り子の錘に対応する部分が当接すると好適である。
このような構成を採用すると、コンベアの案内ローラが転動するローラ転動面を有効活用して、揺動プレートの回動規制を達成させることができる。このことは、別途にストッパ部を設ける必要がなく、構造の簡素化及びコスト低減に寄与している。
【００１２】
また、ラック摺動面に形成された開口から突出可能な揺動プレートの突出部分は、ラック摺動面の幅方向に延在する上板部と、上板部の幅方向における両端で開口の縁に近接して形成された垂下板部とで、断面コ字状に形成されていると好適である。
このように、揺動プレートの突出部分を断面コ字状にした結果、揺動プレートの強度アップを可能にする。さらに、揺動プレートの垂下板部と開口の縁とを近接させているので、食器やラックに残っていた爪楊枝や残菜などが、揺動プレートの垂下板部と開口の縁との隙間に入り込み難くなる。その結果として、揺動プレートの動作不良が起き難く、ラックの検知不良を無くすことができる。また、上板部が広くなることで、ラックレール上でのラックの横ズレに対応させ易く、検知不良を回避させることができる。
【００１３】
また、ラック摺動面に形成された開口から突出可能な揺動プレートは、ラック搬送方向において噴射ノズルの上流側に位置し、開口は、ラック搬送方向において揺動プレートの突出端よりも下流側が拡張され、開口の拡張部分を通して、上方に位置する噴射ノズルからの噴射水が、突出状態の揺動プレートを支持する回転軸にかかるようにすると好適である。
このように、開口は、揺動プレートの突出端よりも下流側を拡張されているので、この拡張部分を通して噴射水をラックレールの内部側に容易に導くことができる。その結果として、ラックレールの内部側に位置する回転軸に噴射水が当たり易くなり、回転軸にかかる噴射水の量を増やすことができるので、回転軸に残菜が付着し難くなり、一時的に残菜が回転軸に付着しても噴射水によって自動的に洗い流すことができる。これによって、揺動プレートの動作不良が起こり難くなり、しかも、開口に拡張部分を設けることで、メンテナンス時に回転軸の確認が容易になり、拡張部分から棒などを差込み易く、回転軸に溜まった付着物の掃除がし易い。
【発明の効果】
【００１４】
本発明によれば、所定位置でラックを確実に検知することができる。
【図面の簡単な説明】
【００１５】
【図１】本発明に係るコンベア型食器洗浄機の一実施形態を示す斜視図である。
【図２】図１に示された食器洗浄機の断面図である。
【図３】ラックレールとコンベアを示す斜視図である。
【図４】コンベアの要部拡大断面図である。
【図５】ラックレールの要部拡大断面図である。
【図６】揺動プレートを示す斜視図である。
【図７】ラックレールの要部を示す平面図である。
【図８】定常状態の揺動プレートを示す断面図である。
【図９】ラックにより押圧された揺動プレートを示す断面図である。
【図１０】ラック検知スイッチとポンプとの関係を示すタイミングチャートである。
【図１１】他のラック検知スイッチを示す断面図である。
【図１２】更に他のラック検知スイッチを示す断面図である。
【発明を実施するための形態】
【００１６】
以下、図面を参照しつつ本発明に係るコンベア型食器洗浄機の好適な実施形態について詳細に説明する。なお、下記の「上流」及び「下流」は、ラックの搬送方向を基準にしている。
【００１７】
図１に示すように、作業者側から見てコンベア型食器洗浄機１の左側には、汚れた食器（例えば皿）３を収容したラック４を載せるためのソイルドテーブル５が設置され、右側には、洗浄後の食器３を収容したラック４を載せるためのクリーンテーブル６が設置されている。
【００１８】
なお、コンベア型食器洗浄機１は、ステンレス製の筐体７の下端に設けられた４本の脚８によって支持され、コンベア型食器洗浄機１には、洗浄室Ｓの開閉に寄与する開閉扉９が設けられている。そして、筐体７は、洗浄室Ｓを有する上部筐体７ａと、洗浄タンク１０を有する下部筐体７ｂとの２段構造となっている。
【００１９】
図２に示すように、コンベア型食器洗浄機１の筐体７内に設けられた洗浄室Ｓ内には、ソイルドテーブル５とクリーンテーブル６との間を架け渡すように延在する左右一対のラックレール２が設置されている。そして、ラックレール２に載置されたラック４は、洗浄室Ｓ内に配置されたコンベア２０によって一方向に搬送される。
【００２０】
洗浄室Ｓは、カーテン１１で仕切られて、入口側が洗浄領域Ｓ１となり、出口側が濯ぎ領域Ｓ２になっている。更に、コンベア型食器洗浄機１の入口Ｃを塞ぐようにカーテン１２の上端が筐体７に固定され、コンベア型食器洗浄機１の出口Ｄを塞ぐようにカーテン１３の上端が筐体７に固定されている。そして、カーテン１１，１２，１３は、短冊状の切り込みが形成されて、ラック４の通過を可能にしている。
【００２１】
洗浄領域Ｓ１内には、上方から洗浄水を噴水する上側洗浄ノズル(上側噴射ノズル)１４と下方から洗浄水を噴水する下側洗浄ノズル(下側噴射ノズル)１５とが配置されている。上側洗浄ノズル１４は、給水パイプ１６を介して洗浄ポンプＰ１に連結され、下側洗浄ノズル１５は、給水パイプ１７を介して洗浄ポンプＰ２に連結されている。この洗浄ポンプＰ１，Ｐ２の吸込み口は洗浄タンク１０内に連通し、この洗浄タンク１０内には洗浄後及び濯ぎ後の水が貯留され、洗浄タンク１０内の余剰な洗浄水は、オーバフローパイプ１８によって外部に排出される。なお、符号１９は、洗剤供給装置である。
【００２２】
濯ぎ領域Ｓ２内には、上方から濯ぎ水を噴水する上側濯ぎノズル(上側噴射ノズル)２１と下方から濯ぎ水を噴水する下側濯ぎノズル(下側噴射ノズル)２２とが配置されている。上側濯ぎノズル２１と下側濯ぎノズル２２は給水パイプ２３を介して濯ぎポンプＰ３に連結されている。この濯ぎポンプＰ３の吸込み口は濯ぎタンク２４内に連通し、濯ぎタンク２４内には、ガスブースタ又は電気ブースタなどで濯ぎに適した温度まで加熱された清浄な水が貯留されている。なお、符号２５は、リンス剤供給装置である。
【００２３】
図３及び図４に示すように、下部筐体７ｂには、左右一対のラックレール２が固定され、ラックレール２は、長手方向に真直ぐに延在する上板３１と、上板３１に対して直交する側板３２と、上板３１と平行に延在する下板３３とで断面コ字状に形成され、上板３１の遊端には、スカート片３４が設けられている。上板３１の上面は、ラック４の底面が摺動するラック摺動面３１ａとして利用され、下板３３の上面は、コンベア２０に取付けられた案内ローラ４３が転動するローラ転動面３３ａとして利用される。ラックレール２には、ラックレール２上でラック４の横ズレを防止する案内バー３７が固定されている。
【００２４】
コンベア２０は、ラックレール２に沿って延在する枠体４０を有し、この枠体４０は、ラックレール２に沿って延在して互いに平行な第１フレーム４１と、この第１フレーム４１の端を架け渡す第２フレーム４２とからなる。第１フレーム４１には、水平方向に突出する案内ローラ４３が回動自在に軸支されている。案内ローラ４３は、第１フレーム４１の前後に２個設けられ、ラックレール２のローラ転動面３３ａ上を転動する。
【００２５】
コンベア２０の第１フレーム４１には、出没可能な送り爪４４が所定間隔で配置され、各送り爪４４は、第１フレームに固定された軸部４６によって揺動自在に構成されている。送り爪４４の下端側が重くなっているので、送り爪４４は、自重により突出状態に復帰させることができる。さらに、枠体４０は、モータ４７によって偏心回転する回転板４８に連結され、回転板４８が一回転する毎に、枠体４０は一往復する(図２参照)。
【００２６】
コンベア２０の枠体４０が前進する際には、ラック４の底側の桟に送り爪４４の先端を引っ掛けた状態でラック４が前進し、コンベア２０が後退する際には、ラック４の位置が維持されながら、送り爪４４のみが枠体４０内に沈み込みながら後退する。その後、枠体４０が前進する際に、枠体４０から突出した送り爪４４がラック４の底の桟に引っ掛かり、ラック４を前進させる。このような動作を繰り返すことで、ラック４を、所定ピッチずつ送ることができる。
【００２７】
図２及び図５に示すように、コンベア型食器洗浄機１には、ラック搬送方向において洗浄ノズル１４，１５の上流側に配置されて、洗浄のためにラック４の通過を検知する洗浄用ラック検知スイッチ５０Ａと、ラック搬送方向において濯ぎノズル２１，２２の上流側に配置されて、濯ぎのためにラック４の通過を検知する濯ぎ用ラック検知スイッチ５０Ｂとを有している。なお、洗浄用ラック検知スイッチ５０Ａと濯ぎ用ラック検知スイッチ５０Ｂとは、同一構成であり、以下の説明では、洗浄用ラック検知スイッチ５０Ａを代表例として説明する。
【００２８】
ラック検知スイッチ５０Ａは、ラック４の側枠４Ａの底面４ａに当接して降下し、ラック４の側枠４Ａの底面４ａと非当接のときに、ラックレール２のラック摺動面３１ａよりも上方に突出する揺動プレート(昇降部材)５１と、揺動プレート５１の昇降を検知する検知部５２と、を備えている。
【００２９】
図５〜図７に示すように、揺動プレート５１は、ラックレール２の側板３２に固定された回転軸５３を中心に鉛直平面内で揺動する。揺動プレート５１は、ラックレール２の側板３２と平行に延在する第１の垂下板部５４を有し、この第１の垂下板部５４には、回転軸５３を貫通させるための軸穴５４ａが形成されている。この第１の垂下板部５４は、ラックレール２のラック摺動面３１ａに形成された長穴形状をなす開口５６から突出する。
【００３０】
揺動プレート５１は、揺動時に、ラックレール２の開口５６から突出する突出部分Ｈを有し、この突出部分Ｈは、ラック摺動面３１ａの幅方向に延在して台形状に形成された上板部５７と、上板部５７の幅方向における一端で開口５６の縁に近接して形成された第１の垂下板部５４と、上板部５７の幅方向における他端で開口５６の縁に近接して形成されて、第１の垂下板部５４に対して平行な第２の垂下板部５８とで、断面コ字状に形成されている。
【００３１】
このように、揺動プレート５１の突出部分Ｈを断面コ字状にした結果、揺動プレート５１の強度アップを可能にする。さらに、揺動プレート５１の垂下板部５４，５８と開口５６の縁とが近接しているので、食器３やラック４に残っていた爪楊枝や残菜などが、揺動プレート５１の垂下板部５４，５８と開口５６の縁との隙間に入り込み難くなる。その結果として、揺動プレート５１の揺動不良が起き難く、ラック４の検知不良を無くすことができる。また、上板部５７が広くなることで、ラックレール２上でのラック４の横ズレに対応させ易く、検知不良を回避させることができる。
【００３２】
さらに、揺動プレート５１は、振り子の錘に対応する部分を重くしている。すなわち、この揺動プレート５１の第１の垂下板部５４には、振り子の錘に対応する部分にマグネット６０がボルト５９及びナット６１によって固定されている。そして、振り子の錘に対応する部分において、直方体形状のマグネット６０は、揺動プレート５１の第１の垂下板部５４の下辺５４ｄから直角に折り曲げられたマグネット支持片５４ｂによって支持され、ボルト５９を中心にマグネット６０が回転することを防止し、安定したマグネット６０の保持を可能にしている。
【００３３】
このような構成を採用すると、バネやヒンジ等の弾性部材を利用することなく、自重によって、揺動プレート５１を元の位置に戻すことができる。従って、構造が複雑にならずに、耐久性を高めることができ、コスト低減にも寄与する。しかも、マグネット６０を錘として利用することができ、構造の複雑化を容易に回避させることができる。
【００３４】
さらに、揺動プレート５１がラック４の底面４ａと非当接のときに、揺動プレート５１のマグネット支持片５４ｂがラックレール２のローラ転動面３３ａに当接することで、揺動プレート５１の突出部分Ｈの突出量の上限を規定している。このような構成を採用すると、ラックレール２のローラ転動面３３ａを有効活用して、揺動プレート５１の回動規制を達成させることができる。このことは、別途にストッパ部を設ける必要がなく、構造の簡素化及びコスト低減に寄与する。
【００３５】
また、第１の垂下板部５４の軸穴５４ａは、第１の垂下板部５４の重心位置よりも揺動プレート５１の突出部分Ｈ側に寄せた位置にあり、これによって、回転軸５３の中心からマグネット６０の中心までの距離を大きくすることができ、マグネット６０の移動距離を大きくすることができる。従って、検知部５２による誤検知の可能性を少なくすることができる。
【００３６】
図７〜図９に示すように、ラック検知スイッチ５０Ａの検知部５２は、マグネット６０の磁気を検知する磁気センサである。この検知部５２は、防水を図るためにチューブ６３内に収容され、このチューブ６３の基端は、下部筐体７ｂに固定されて、チューブ６３の先端は、鉛直平面内で揺動するマグネット６０に対して接近と離間とが可能な位置に設置されている。従って、チューブ６３の先端内に配置された磁気センサ５２は、図８に示すように、揺動プレート５１の突出部分Ｈが最大突出量になったとき、すなわちラック非検知状態のときに、マグネット６０から離間して接点がＯＦＦする。図９に示すように、磁気センサ５２は、揺動プレート５１の突出部分Ｈが最小突出量になったとき、すなわちラック検知状態のときに、マグネット６０に接近して接点がＯＮする。そして、磁気センサ５２がＯＮ／ＯＦＦしたことは、マイコンで認知されて、洗浄ポンプＰ１，Ｐ２や濯ぎポンプＰ３などの制御に利用される。この磁気センサ５２は、マグネット６０が近づくと接点がＯＮするリードスイッチである。
【００３７】
また、突出部分Ｈの突出量の下限は、揺動プレート５１の第１の垂下板部５４において、突出部分Ｈよりも上流側に位置する上辺５４ｃが上板３１の裏面に当接することで規定される。揺動プレート５１の突出端Ｒは、開口５６から最低突出量Ｌだけ突出させているので、突出端Ｒがラック４の底面４ａに当接して降下した状態であっても、ラック摺動面３１ａより上方に位置することになる。
【００３８】
このような構成を採用すると、ラック摺動面３１ａ上を摺動するラック４の底面４ａが、ラック摺動面３１ａ上の開口５６に到達したとき、揺動プレート５１の突出端Ｒによってラック摺動面３１ａから浮くように持ち上げられるので、ラック４が開口５６の下流側の縁に引っ掛かることを防止することができ、ラック４の底面４ａが削れたり、ラック４が破損するのを防止できる。
【００３９】
揺動プレート５１の上板部５７は、上流側に向かって斜め下方に延在し、これによって、揺動プレート５１の突出部分Ｈがラック４の移動を阻害することなく、ラック４を揺動プレート５１上でスムーズに移動させることができ、ラック４によって上板部５７をスムーズに押圧することができる。
【００４０】
揺動プレート５１は、洗浄ノズル１４，１５の上流側に配置され、開口５６は、揺動プレート５１の突出端Ｒよりも下流側が拡張されている。この拡張部分Ａを通して、上方に位置する洗浄ノズル１４からの噴射水が、突出状態の揺動プレート５１を支持する回転軸５３にかかる(図８参照)。揺動プレート５１は、突出端Ｒ側から回転軸５３を見通せるようにコ字状になっているので、この見通し部Ｂ(図６参照)を通しても噴射水を回転軸５３にかけることができる。
【００４１】
このように、開口５６は、揺動プレート５１の突出端Ｒよりも下流側が拡張されているので、この拡張部分Ａ及び見通し部Ｂを通して噴射水をラックレール２の内部側に容易に導くことができる。その結果として、ラックレール２の内部側に位置する回転軸５３に噴射水が当たり易くなり、回転軸５３にかかる噴射水の量を増やすことができるので、回転軸５３に残菜が付着し難くなり、一時的に残菜が回転軸５３に付着して噴射水によって自動的に洗い流すことができる。これによって、揺動プレート５１の動作不良が起こり難くなり、しかも、開口５６に拡張部分Ａを設けることで、メンテナンス時に回転軸５３の確認が容易になり、拡張部分Ａから棒などを差込み易く、回転軸５３に溜まった付着物の掃除がし易い。
【００４２】
このような構成のコンベア型食器洗浄機１は、ラックレール２の上面で延在するラック摺動面３１ａを利用して、揺動プレート５１によりラック４の検知を可能にしている。この揺動プレート５１は、ラック４の底面４ａに当接して降下し、ラック４の底面４ａと非当接のときにラック摺動面３１ａよりも上方に突出する。従って、不測の事態により、ラックレール２からラック４が外れない限り、搬送中のラック４は、その底面４ａがラック摺動面３１ａに摺接し続けているので、ラック４の自重を利用して、ラック４の通過検知の確実性を高めることができる。
【００４３】
次に、コンベア型食器洗浄機１の動作を、図１０を参照して簡単に説明する。
【００４４】
洗浄前の食器３をセッティングしたラック４を、利用者が、コンベア型食器洗浄機１の洗浄室Ｓ内に入口側から押し込んで、洗浄側のラック検知スイッチ５０Ａの揺動プレート５１をラック４で押し下げると、スイッチ５０ＡがＯＮする。これによって、上側の洗浄ノズル１４に連通する洗浄ポンプＰ１がＯＮし、所定時間(約０．５秒)遅れて、下側の洗浄ノズル１５に連通する洗浄ポンプＰ２がＯＮする。このような遅延時間は、洗浄水により食器が上方へ飛ばされないようにするためである。
【００４５】
続いて、コンベア２０を駆動させるためのモータ４７がＯＮし、送り爪４４がラック４を押すことで、ラックレール２のラック摺動面３１ａに沿ってラック４が出口側に向かって搬送される。そして、ラック４上の食器３は、洗浄ノズル１４，１５によって洗浄され続ける。
【００４６】
その後、ラック４が、濯ぎ側のラック検知スイッチ５０Ｂの揺動プレート５１を押し下げると、スイッチ５０ＢがＯＮする。これによって、濯ぎポンプＰ３がＯＮし、コンベア２０によってラック４が搬送されながら、濯ぎノズル２１，２２により食器３が濯がれて、食器洗浄機１の出口側からラック４が搬出される。
【００４７】
コンベア２０のモータ４７は、洗浄ポンプＰ１，Ｐ２と濯ぎポンプＰ３の両方が停止したときに停止する。また、洗浄側のラック検知スイッチ５０ＡがＯＦＦしても、所定時間(例えば３０秒間)は、洗浄ポンプＰ１，Ｐ２が動作し続け、濯ぎ側のラック検知スイッチ５０ＢがＯＦＦしても、所定時間(例えば１５秒間)は、濯ぎポンプＰ３が動作し続ける。この所定時間の長さは、ラック４が洗浄区間又は濯ぎ区間を移動するのに十分な長さとして設定されている。
【００４８】
本発明は、前述した実施形態に限定されないことは言うまでもない。
【００４９】
他のラック検知スイッチ７０は、図１１に示すように、マグネットが固定されていなくても振り子運動を行う揺動プレート(昇降部材)５１と、揺動プレート５１の第１の垂下板部５４から水平方向に突出する係止片５４ｅと、ラックレール２に固定されると共に、係止片５４ｅに係合する感知レバー７１ａを有するマイクロスイッチ(検知部)７１とからなる。マイクロスイッチ７１のＯＮ／ＯＦＦを行う感知レバー７１ａの先端には、係止片５４ｅと接触するローラ７１ｂが設けられている。
【００５０】
二点鎖線で示すように、ラック４から解放されて揺動プレート５１の上流側が下がると、感知レバー７１ａが下がるので、マイクロスイッチ７１はＯＦＦになる。そして、実線で示すように、ラック４の押圧により揺動プレート５１の上流側が上がると、係止片５４ｅによって感知レバー７１ａが上がるので、マイクロスイッチ７１はＯＮになる。このラック検知スイッチ７０は、シンプルな構成である。
【００５１】
さらに、他のラック検知スイッチ８０は、図１２に示すように、ラックレール２のラック摺動面３１ａに形成された開口８１から出没するプッシュボタン(昇降部材)８２と、プッシュボタン８２を支持する圧縮コイルばね８３と、プッシュボタン８２の基端からＬ形に延びたアーム８４と、アーム８４の先端に設けられたマグネット８５と、マグネット８５の磁気を検知する磁気センサ(検知部)８６とからなる。圧縮コイルばね８３は、安定して伸縮させるために、ラックレール２の下板３３に固定された円筒状のばね収容部８７内に配置されている。また、アーム８４は、ラックレール２の上板３１に当たることで、ストッパとして機能している。
【００５２】
実線で示すように、ラック４から解放されたプッシュボタン８２がバネ力によって上がると、マグネット８５が磁気センサ８６から離れて、磁気センサ８６はＯＦＦになる。そして、二点鎖線で示すように、ラック４の押圧によりプッシュボタン８２が下がると、マグネット８５と磁気センサ８６とが接近し、磁気センサ８６はＯＮになる。このラック検知スイッチ８０は、シンプルな構成である。
【００５３】
前述したラック検知スイッチ５０Ａ，５０Ｂ，７０，８０は、ラック４の到来時や通過時のみを検知するものであってもよい。
【符号の説明】
【００５４】
１…コンベア型食器洗浄機、２…ラックレール、３…食器、４…ラック、４ａ…ラックの底面、１４，１５，２１，２２…噴射ノズル、２０…コンベア、３１ａ…ラック摺動面、３３ａ…ローラ転動面、４０…枠体、４３…案内ローラ、４４…送り爪、５１…揺動プレート(昇降部材)、５２…磁気センサ(検知部)、５３…回転軸、５４，５８…垂下板部、５６…開口、５７…上板部、６０…マグネット、Ｓ…洗浄室、Ａ…開口の拡張部分、Ｒ…突出端、Ｈ…突出部分。
【図１】
2011110260.tif 000003
【図２】
2011110260.tif 000004
【図３】
2011110260.tif 000005
【図４】
2011110260.tif 000006
【図５】
2011110260.tif 000007
【図６】
2011110260.tif 000008
【図７】
2011110260.tif 000009
【図８】
2011110260.tif 000010
【図９】
2011110260.tif 000011
【図１０】
2011110260.tif 000012
【図１１】
2011110260.tif 000013
【図１２】
2011110260.tif 000014